(57)【要約】  低周波信号発生手段と、前記低周波信号発生手段に接続されて経絡に適合する周波数を選択する経絡周波数選択手段と、前記低周波信号発生手段の発生した信号を増幅する増幅手段と、前記増幅手段に接続される電極と、前記電極を固定するために環状に固定可能な帯部とを備えて、経絡の刺激に適合する周波数を選択して印加することで、経穴１点を刺激するのではなく経絡全体に亘って刺激して、特に複数の経絡を特定して各経絡別に刺激が可能であり、また、経穴の位置や経絡の正確な位置を特定することなく刺激することが可能となる。
2007148403.tif 000002
【特許請求の範囲】
【請求項１】
低周波信号発生手段と、前記低周波信号発生手段に接続されて経絡に適合する周波数を選択する経絡周波数選択手段と、前記低周波信号発生手段の発生した信号を増幅する増幅手段と、前記増幅手段に接続される電極と、前記電極を固定するために環状に固定可能な帯部とを備えて、経絡の刺激に適合する周波数を選択して印加する治療器。
【請求項２】
電極は、帯部に設けた開口部を貫通する凸部からなり、この凸部と凹部の間に帯部を挿入し、凸部の頂部に導電剤が塗布されることを特徴とする請求項１記載の治療器。
【請求項３】
低周波信号発生手段は、ＰＷＭ波を生成するＰＷＭ波生成回路とＰＷＭ波の低周波成分を濾波するローパスフィルタ回路と濾波されたＰＷＭ信号を変換するＶＣＯ回路とから構成されて三角波を生成することを特徴とする請求項１記載の治療器。
【請求項４】
増幅手段は、三角波正弦波変換回路と振幅減衰回路から構成されて三角波を正弦波に変換してから減衰させることで経絡刺激信号を生成することを特徴とする請求項３記載の治療器。
【発明の詳細な説明】
【技術分野】
【０００１】
本発明は、経絡を刺激して衛気を涵養する治療器に関し、特に所望の経絡のみを刺激する治療器に関する。
【背景技術】
【０００２】
本発明に関する現時点での技術水準をより十分に説明する目的で、本願で引用され或いは特定される特許、特許出願、特許公報、科学論文等の全てを、ここに、参照することでそれらの全ての説明を組入れる。【０００３】
衛気学説は『黄帝内経』によって創案され、“天人合一”すなわち、“人と自然界とは相応しており、密接な関係がある”という思想を基礎に作り上げられた重要な理論である。その要旨は、人はどのようにして一年四気の気候変化に適応して生存するか、どのようにして体温の恒常性を保っているか、どのようにして気候異常による外来の六淫邪気の侵襲に抵抗しているか、どのようにして自然界の昼夜のリズムと同調しバイオリズムを調節しているかなどにある。すなわち衛気学説は外界環境との協調統一といった、整体の調節理論である。【０００４】
衛気は先天の下焦の腎の元気を来源とし、後天脾胃の水穀の悍気により栄養され、肺の宣布作用によって体表皮毛に到達する。これにより“分肉を温め、皮膚を充たし、膜理を肥やし、開合を司る”といった一連の生理機能を発揮することができる。【０００５】
『霊枢・営衛生会篇』では「営は中焦より出、衛は上焦より出る」、また「人は気を穀に受け、穀は胃に入り、以て肺に伝え五臓六腑、皆以て気を受く」と記載される。『素問・痺論』では「衛は水穀の悍気なり……腹膜を薫じ、胸腹に散ず」と記載される。『内経』のこれらの論述から、衛気の来源は下焦の腎の気（すなわち真気）にあり、中焦脾胃が化生した水穀の悍気によって栄養が充実され、上焦に上行して肺の宣散や調節・制御を受けることにより“五臓六腑は皆気を受ける”ことができる。このようなことから“衛気は下焦より生じて、中焦により滋生され、肺により総合統括される”と言われる。【０００６】
また、『黄帝内経』では営衛の循行形式には二種類あることを提示されている。【０００７】
一つは、営は脈中を循り、衛は脈外を循り、衛気は営気に伴って十二経脈を運行しており、陰（営）陽（衛）は相貫いて環のように端が無く、五十周してもとの手の太陰肺経にもどるというものである。【０００８】
二つ目は、衛気は独自に循行し、昼は陽経を二十五周循り、夜は陰経を二十五周巡り、昼夜を分けるというものである。【０００９】
『霊枢・本臓』では「衛気なる者は、分肉を温め、皮膚を充たし、
2007148403.tif 000003
理を肥やし、開合司るゆえんの者なり」と記載されている。また、『霊枢・禁服篇』では「審らかに衛気を察し、百病治療の母となす」と述べられている。さらに『霊枢・営衛生会篇』では「衛は脈外に在り、営周して休まず、衛気は、陰を行くこと二十五度、陽を行くこと二十五度、分かちて昼夜を為す。故に陽気至りて起り、陰に至て止まる」と記載されている。【００１０】
以上の『黄帝内経』の衛気の機能に関する論述を総合すると、衛気の主要な機能は、次のような生体が外界気候環境と関係する致病要因（病邪）に対する抵抗能力および生体の内環境を安定維持させる調節能力を示している。すなわち、第一に衛外固表、抗御外邪などの防御機能（免疫機能）である。第二がエネルギー代謝・体温調節機能（自律神経・内分泌機能）である。第三が昼夜の周期リズムの調節機能（自律神経・内分泌機能）である。従って衛気の働きは、実質上現代医学でいうストレス反応システム中でも免疫調整機能と類似するものである。【００１１】
一方、五臓六腑に心包という臓器が加わって１２の代表臓腑があるが、それぞれに関連する１２の経脈が手足末端まで縦に支配している。その一部を図７に示し肺の経脈は臍とみぞおちの真ん中から起こり、下って大腸をまとい反転上向して横隔膜を貫いて肺に所属し、さらに上向して気管を巡り、左右に分かれて腋の下から上腕・前腕の前面を下って拇指端で終わる。途中、手首から枝脈出て人差し指の先端で大腸経に交わる。大腸経は、人差し指端から前腕・上腕の外側を上向して肩から鎖骨上部で体内に入り肺をまとい大腸に所属する。鎖骨上部から枝脈が出て首から頬・下歯を通って鼻の下で左右が交差し、鼻の脇で終わる。ここから胃経に繋がって下降し、脾胃等を巡り足先までの臓腑と、手足の連絡路となる。【００１２】
この他に横の連絡路として１５絡脈、経脈・絡脈から溢れ出た衛気営血を処理する奇経等の路線があり、これらを総称して経絡と呼び、それぞれが密接な連絡を取り合っている。【００１３】
この経絡を衛気営血が流れ、全身の栄養や外邪からの防御、機能的アンバランス時の調整等の役割を果たしている。【００１４】
病気になると経絡を流れる衛気営血の乱れを生じるので、経絡上に配置されている「つぼ」を使ってその乱れを整えるのが鍼灸治療等に相当する。従来の鍼灸治療では、高温や針による刺激が用いられるが、いずれも「つぼ」である経穴を対象としている。【００１５】
これに対して、既に経穴を電気的に刺激する装置としては、例えば特許文献１において提案がなされている。すなわち、低周波発生器によりパルス電流を人体のつぼに供給して、電気的刺激を加える装置であって、発生器の出力端にリード線を介して接続した出力端子と、人体に接着テープ等により固定される接触電極とを磁力によって接続すると共に、装置ケーシングの背面に、耳穴に挿入保持しうる略きのこ型の装着部を突設する。このため、人体のあらゆる部分の他のつぼを容易かつ同時に複数箇所刺激でき、しかも、人体への接触電極の装着保持が容易であり、出力端子の接続も至極簡単で、取扱が容易である。【００１６】
また、特許文献２では、遠赤外線を放射するセラミックスを、経穴にあて、該遠赤外線が経穴を通して経路に働きかけることによって経穴、経路治療システムが働くように構成されている。【００１７】
【特許文献１】特開平９−２８８１２号公報
【特許文献２】特開２００１−５４５５２号公報
【発明の開示】
【発明が解決しようとする課題】
【００１８】
しかし、衛気は経穴１点を通るのではなく経絡全体を流れるものであるから、より効果的に刺激するには、経穴１点に限定するのではなく、経絡全体を刺激することで衛気の流れ全体改善することができる。【００１９】
また、経穴は特定の１点に限定されるため、経穴を刺激する際に正確な位置の把握が困難である。このため、必ずしも適切な位置を刺激できない場合も生じている。この場合は正しい治療が行なえない場合も生じている。【００２０】
そこで、本発明の目的は、経穴１点を刺激するのではなく経絡全体に亘って刺激して、特に複数の経絡を特定して各経絡別に刺激が可能であり、また、経穴の位置や経絡の正確な位置を特定することなく刺激することが可能な治療器を提供することにある。
【課題を解決するための手段】
【００２１】
本発明の主旨の第１の側面は、低周波信号発生手段と、前記低周波信号発生手段に接続されて経絡に適合する周波数を選択する経絡周波数選択手段と、前記低周波信号発生手段の発生した信号を増幅する増幅手段と、前記増幅手段に接続される電極と、前記電極を固定するために環状に固定可能な帯部とを備えて、経絡の刺激に適合する周波数を選択して印加する。【００２２】
また電極は、帯部に設けた開口部を貫通する凸部からなり、この凸部と凹部の間に帯部を挿入し、凸部の頂部に導電剤が塗布されることを特徴とする。【００２３】
さらに、低周波信号発生手段は、ＰＷＭ波を生成するＰＷＭ波生成回路とＰＷＭ波の低周波成分を濾波するローパスフィルタ回路と濾波されたＰＷＭ信号を変換するＶＣＯ回路とから構成されて三角波を生成することを特徴とする。【００２４】
次に、増幅手段は、三角波正弦波変換回路と振幅減衰回路から構成されて三角波を正弦波に変換してから減衰させることで経絡刺激信号を生成することを特徴とする。
【発明の効果】
【００２５】
本発明は上記のように低周波信号発生手段と、前記低周波信号発生手段に接続されて経絡に適合する周波数を選択する経絡周波数選択手段と、前記低周波信号発生手段の発生した信号を増幅する増幅手段と、前記増幅手段に接続される電極と、前記電極を固定するために環状に固定可能な帯部とを備えて、経絡の刺激に適合する周波数を選択して印加することで経穴１点を刺激するのではなく経絡全体に亘って刺激して、特に複数の経絡を特定して各経絡別に刺激が可能であり、また、経穴の位置や経絡の正確な位置を特定することなく刺激することが可能である。また、経絡を賦活することにより、衛気が養われ身体の諸機能を活生化させ、免疫機能を賦活させることにより、加齢による老化を防止することもできる。
【図面の簡単な説明】
【００２６】
【図１】本発明に係る治療器のブロックダイヤグラムである。
【図２】本発明に係る治療器の概略構成図である。
【図３】本発明に係る治療器の概略構成図である。
【図４】本発明に係る治療器の電極を装着する帯体の（ａ）接触部の構成図と（ｂ）表面の構成図である。
【図５】本発明に係る治療器の電極を装着する帯体を装着させるために平面ファスナを装着した構成図である。
【図６】本発明に係る治療器を被治療者に装着した配置図である。
【図７】人体における経絡の位置を示す経絡図である。
【図８】本発明に係る第２の実施例における治療器のブロックダイヤグラムである。
【図９】本発明に係る第２の実施例における治療器の概略構成図である。
【発明を実施するための最良の形態】
【００２７】
以下本発明を図面に示す実施例に基いて説明する。
（実施の形態１）
本発明に係る実施の形態１における治療器２のブロックダイヤグラムを図１に、治療器の概略構成図の正面図を図２に示し、前記治療器の概略構成図の前側面図（ａ）と後側面図（ｂ）を図３に示す。本実施例は、特定の経絡に正弦波刺激を印加する装置である。【００２８】
治療器２は、経絡個別周波数切替手段４で設定された特定の経絡に適した周波数の信号を、可変周波数発生手段６で生成し、その生成した信号を可変周波数発生手段６と接続される増幅手段８で電気的に増幅して、増幅した信号を特定の電極１２に伝達し、前記電極１２はネジ部３４に印加する。可変周波数発生手段６はさらに中央演算素子等からなる制御手段１０と接続されて信号を発生させる時間を表示手段１４に表示させる。また、全ての手段は、電源１６と接続され、電源１６には電源スイッチ１８とヒューズボックス２０と電源コネクタ２２とアース端子４８とが接続される。【００２９】
経絡個別周波数切替手段４は、図１においてスイッチＳＷ２４ａ〜２４ｆである。このスイッチは各経穴に対応するスイッチ２４ｄ〜２４ｆを１４個設けて、特定の経穴を定めることができるように配置並びに接続される。なお、図面では１４個全てのスイッチを記載せずにスイッチ２４ｄ〜２４ｆに代表して記載させている。また、図面上で太線は複数の導線を纏めて記載したものである。【００３０】
経絡個別周波数切替手段４における経絡とは、具体的に経絡１−Ａ、１−Ｂ〜７−Ｂに亘る１４種類の経絡に対応する周波数一欄を表１に示す。ここで、肺経の経絡番号は１−Ａ、大腸経の経絡番号は１−Ｂ、胃経の経絡番号は２−Ａ、脾経の経絡番号は２−Ｂ、心経の経絡番号は３−Ａ、小腸経の経絡番号は３−Ｂ、膀胱経の経絡番号は４−Ａ、腎経の経絡番号は４−Ｂ、心包経の経絡番号は５−Ａ、三焦経の経絡番号は５−Ｂ、胆経の経絡番号は６−Ａ、肝経の経絡番号は６−Ｂ、督脈の経絡番号は７−Ａ、任脈の経絡番号は７−Ｂである。なお、特に表１において最も効果の高い周波数を記載したが、更に数値を１００倍した周波数と１００分の１にした周波数についても各経絡に対して効果的な刺激を印加していることが判明している。【００３１】
【表１】
2007148403.tif 000004
【００３２】
其々の周波数の正弦波に対して、特定の経絡のみが反応するため、例え周波数を混合させても他の経絡には影響を与えないが混合させた場合複数の高調波も発生するため他の周波数による影響が生じる場合もある。このため、上記の周波数の信号を単独で使用することが好ましい。【００３３】
また、経絡個別周波数切替手段４として信号を開始するスイッチ２４ａと、信号を一時停止させる一時停止スイッチ２４ｂと、信号を停止させる停止スイッチ２４ｃもまた設けられる。【００３４】
続いて、可変周波数発生手段６は、制御手段１０でありＰＷＭ信号を生成する中央演算素子ＣＰＵ２６の信号発生部２８と、生成したＰＷＭ信号をＤＣ出力に変調するローパスフィルタ３０と、ＤＣ電圧によって特定の周波数の三角波信号を生成するＶＣＯ３２からなる。【００３５】
中央演算素子ＣＰＵ２６は、経路を刺激するための各種ソフトウエア処理に必要なプログラムを記憶した読み出し専用メモリ（ＲＯＭ）３４、信号発生時間を計時するタイマ３６、信号をＰＷＭ信号として出力する信号発生部２８と、演算処理部を主体として構成されている。【００３６】
専用メモリ（ＲＯＭ）３４は、さらに１４の経穴に印加する信号を生成するための１４の三角波を生成するためのＰＷＭ信号の最小単位の波形が記録される。【００３７】
さらに、増幅手段８は三角波信号をＳＩＮ波に変換して経絡刺激信号に増幅する機能を持ち、三角波ＳＩＮ波変換器３６と、可変抵抗３８と、可変抵抗３８を通過した信号を減衰させる減衰器４０とから構成される。【００３８】
三角波ＳＩＮ波変換器３６は、三角波を入力してその周波数を変えることなく正弦波（ＳＩＮ波）に変換する装置である。例えば、三角波ＳＩＮ波変換器３６としては周知のオペアンプ積分回路とウィーンブリッジ型発振回路とを結合させることで容易に実現できる。さらに、三角波ＳＩＮ波変換器３６の出力は可変抵抗ＶＲ３８に接続される。【００３９】
可変抵抗ＶＲ３８は、回転角度によって抵抗値が変化する回転型、スライダの位置を変化させることで抵抗が変化するスライド型、抵抗値を微調整可能なポテンショメータ型、また素材として、炭素被膜や、サーメット等の金属被膜や、巻線からなるもののいずれであってもよい。さらに、ボタンによって電子的に抵抗を変化させるデジタル形を採用することは設計変更の範囲内である。【００４０】
減衰器４０は、固定抵抗をπ形またはＴ型に接続して構成される。抵抗値は予め定まっている場合は、固定値とするが必要に応じて複数組の抵抗列を並列に接続させておきロータリースイッチで選択可能に接続することで減衰度の調整が可能となる。【００４１】
電極１２は、少なくとも２つ設けられて減衰器４０に接続される。【００４２】
タイマ３６を制御するのがサムロータリスイッチ４４である。本実施例ではサムロータリスイッチ４４がＣＰＵ２６と接続される。サムロータリスイッチ４４は、ステップ時間である一桁の数値をＣＰＵに２進法で入力するよう構成される。【００４３】
タイマ３６は、サムロータリスイッチ４４が指定したステップ時間からカウントダウンして残時間を中央演算素子ＣＰＵ２６に送信する。中央演算素子ＣＰＵ２６は、残時間が０でない場合は、ＰＷＭ信号の生成を継続する。また、残時間情報を随時７セグメントＬＥＤ４６を駆動するＬＥＤドライバに残時間情報を送信する。【００４４】
さらに、表示手段１４として、中央演算素子ＣＰＵ２６に３桁分の７セグメントＬＥＤ４６が図示しないＬＥＤドライバを介して接続される。タイマ３６で生成される残時間情報を前記ＬＥＤドライバが受信して、７セグメントＬＥＤ４６の各ＬＥＤ向けの駆動信号を生成する。７セグメントＬＥＤ４６は、残時間をデジタル数値として発光表示する。【００４５】
なお、図３に示されるように本体側面には信号出力用の同軸レセプタクルが２個設けられる。一方、本体裏側側面には、電源スイッチ１８と、電源コネクタ２２と、ヒューズボックス２０と、アース端子２３が突設される。【００４６】
電極１２は、さらに図４（ａ），（ｂ）並びに図５に示す。図４（ａ）は、電極１２の生体への接触面を示し、図４（ｂ）は（ａ）の背面を示す。【００４７】
電極１２は頭部５０が凸形状であり、頭部と凸部に嵌合される凹部５２が設けられる。ゴム素材が織り込まれた布帯５４の中心に開口部を設け、その開口部に電極１２が挿入されて、凹部５２と頭部５０に布帯５４を挿んで固定する。布帯５４の電極１２の側面に面ファスナ５６を縫着する。布帯５４の電極１２の裏側面に先の素材の背面が縫着される。【００４８】
一方、布帯５４の中央に前記凹部５２が挿入され、その凸部５８に凹部５２が係り止めされて布帯５４に固定される。【００４９】
この布帯５４は凸部５８が外側へ突設するように手首または足首等に巻き付けて、面ファスナ５６を布帯５４に圧着させて固定する。また、頭部５０の表面には導電性のペーストを塗布する。塗布によって電極１２と腕との接触抵抗を低下させる。【００５０】
本発明の作用について図１乃至７を用いて説明する。【００５１】
まず、電極１２を備えた一組の布帯５４を被治療者の身体の一方の手の手首及び同一側の足の足首に装着する（図６）。ここで、布帯５４に装着した電極の頭部５０に導電性のペーストを塗布して、被治療者の皮膚に接触するように配置する。布帯５４は面ファスナ５６を布帯５４に圧着させて固定する。【００５２】
電源スイッチ１８によって電源が投入されると電源１６より、可変周波数発生手段６と増幅手段８と制御手段１０と表示手段１４とに電源が供給される。【００５３】
続いてスイッチ２４である経絡選択スイッチとタイマ選択スイッチと信号発生スイッチにおいて刺激対象となる経絡が例えば胃経（２−Ａ）であり、ステップ時間が５分である場合、スイッチ２４ｄ〜２４ｆにおいて、（２−Ａ）スイッチが選択される。さらに、サムロータリスイッチ４４で＋ボタンが選択されて数字５が表示されるように押される。この状態でスイッチ２４ａが選択されると、中央演算素子ＣＰＵ２６によってタイマ３６が動作し5分を計時始める。タイマ３６の減算が開始されて、残時間が７セグメントＬＥＤ４６に表示される。【００５４】
続いて、中央演算素子ＣＰＵ２６は専用メモリ（ＲＯＭ）３４から（２−Ａ）に対応する２０×１ＫＨｚの周波数の信号波形を意味するＰＷＭ波形を読み出して信号発生部２８でデジタル波形を生成させてローパスフィルタ３０へ送出する。ローパスフィルタ３０は高周波成分をフィルタリングしてＶＣＯ３２へ送出する。【００５５】
ＶＣＯ３２は、中央演算素子ＣＰＵ２６が生成してローパスフィルタ３０を通過した信号波から三角波を生成する。【００５６】
三角波ＳＩＮ波変換器３６は、この三角波を正弦波に変換する。この正弦波を可変抵抗３８と減衰器４０によって適正な電流または電圧の信号に減衰させる。減衰された信号波は電極１２に印加される。この電極から被治験者の手首から足首に印加されることで、経絡２−Ａに対してのみ作用させることができる。【００５７】
以上のように構成することで任意の経絡に適切な強度周波数の信号を適切な時間間隔で容易に印加可能である。【００５８】
信号生成中に一時停止スイッチ２４ｂが選択されると、残時間が表示された状態で停止するとともに信号生成も停止する。【００５９】
一方、停止スイッチ２４ｃが選択された場合は、信号が停止されるとともに７セグメントＬＥＤ４６表示がリセットされる。【００６０】
これらのボタンの選択結果は、可変周波数発生手段６に対する電気信号の伝達となる。可変周波数発生手段６は、選択されたボタンに基づく低周波電流を生成する。【００６１】
低周波電流は、増幅手段８で増幅されて導線を通過して電極１２へ印加される。一方、ボタンの選択結果は制御手段１０へも伝達される。選択結果によって算出された選択した周波数を表示手段１４に表示させる。【００６２】
選択されたボタンに基く低周波を印加された電極から被治験者の手首から足首に印加されることで、経絡２−Ａに対してのみ作用させることができる。すなわち、周波数によって印加させる経絡を選択できるため、特定の疾病に対して特定のつぼではなく経絡に渡って作用させる必要がある場合に、経絡を構成する全てのつぼを刺激する必要が無いと言う効果がある。これは、刺激するための時間の短縮を図ることができる。また,つぼの正確な位置を知らない一般人でも容易に施行可能である。【００６３】
また、周波数さえ間違えなければ「つぼ」に印加させる必要が無いため、「つぼ」の位置を誤って「つぼ」でない部分を刺激することもなくなるという効果を有する。【００６４】
（実施の形態２）
本発明に係る治療器２のブロックダイヤグラムを図８に示す。本実施例は、特定の経絡に正弦波刺激を印加する装置である。【００６５】
治療器２は、経絡個別周波数切替手段４で設定された特定の経絡に適した周波数の信号を、可変周波数発生手段６で生成し、その生成した信号を可変周波数発生手段６と接続される増幅手段８で電気的に増幅して、増幅した信号を特定の電極１２に伝達し、前記電極１２はネジ部３４に印加する。可変周波数発生手段６はさらに中央演算素子等からなる制御手段１０と接続されてその周波数や設定値を表示手段１４に接続する。また、全ての手段は、電源１６と接続され、電源１６にはスイッチ１８が接続される。【００６６】
経絡個別周波数切替手段４は、スイッチから構成される。スイッチは、図９に示されるように数値ボタン６０と単位ボタン６２から構成される。サイクルボタンは、２．５、４、５、８、１０、１６、２０を示す数値ボタン６０からなる。また、単位ボタン６２は、１Ｋ、１０Ｋボタン単位ボタン６２から構成される。さらに、信号を減衰する利得ボタン６４と、信号の形状を示すｓｉｎまたは、ｓｑｕが波形ボタン６６に示される。【００６７】
さらに電源スイッチ１８とボリューム２４が設けられ、信号の振幅がこのボリューム２４によって限定される。ボリュームのレンジは１.０〜５.０Ｖとなる。【００６８】
これらのボタンは、それぞれ発振周波数を選択するボタンや信号振幅や信号波形及び電源１６のスイッチである。単位ボタン６２は、複数の水晶発振子を有する場合は、水晶発振子の選択ボタンとなる。また、抵抗素子を含む発振回路である場合は、複数の抵抗値の抵抗素子を選択させても良い。また、分波回路を備える場合は、取り出し口を選択性にすることができる。【００６９】
可変周波数発生手段６は、ウィーンブリッジ発振回路、セラミック発振回路、水晶発振回路、ＬＣ発振回路、ＰＬＬシンセサイザ等の何れの回路であってもよい。【００７０】
増幅手段８は、オペアンプ等の差動増幅器を用いることが好ましい。【００７１】
本発明の作用について図８，９を用いて説明する。【００７２】
まず、電極１２を備えた一組の布帯５４を被治療者の身体の一方の手の手首及び同一側の足の足首に装着する（図６）。ここで、布帯５４に装着した電極の頭部５０に導電性のペーストを塗布して、被治療者の皮膚に接触するように配置する。布帯５４は面ファスナ５６を布帯５４に圧着させて固定する。【００７３】
電極１２は導線によって治療器２の筐体の内部にある増幅手段８と接続される。【００７４】
次に治療器２の表面に設けられる電源スイッチ１８の操作によって、各手段と電源１６とが接続される。続いて経絡個別周波数切替手段４である治療器２の表面に配置された１ｋ、１０ｋ等の単位ボタン６２と利得を示す利得ボタン６４と、波形を選択する波形ボタン６６と、周波数の数値を選択する数値ボタン６０と、利得を連続的に変更するボリューム２４とが設けられ、表１に従い所望の経絡に適切な周波数を選択する。例えば、経絡１−Ａに対して低周波電流を印加する際は、単位ボタン６２は１Ｋであり、波形ボタン６６はｓｉｎが選択され、利得ボタン６４は２０ｄＢが選択され、数値ボタン６０は１６が選択される。【００７５】
これらのボタンの選択結果は、可変周波数発生手段６に対する電気信号の伝達となる。可変周波数発生手段６は、選択されたボタンに基づく低周波電流を生成する。【００７６】
低周波電流は、増幅手段８で増幅されて導線を通過して電極１２へ印加される。一方、ボタンの選択結果は制御手段１０へも伝達される。選択結果によって算出された選択した周波数を表示手段１４に表示させる。【００７７】
選択されたボタンに基く低周波を印加された電極から被治験者の手首から足首に印加されることで、経絡１−Ａに対してのみ作用させることができる。すなわち、周波数によって印加させる経絡を選択できるため、特定の疾病に対して特定のつぼではなく経絡に渡って作用させる必要がある場合に、経絡を構成する全てのつぼを刺激する必要が無いと言う効果がある。これは、刺激するための時間の短縮を図ることができる。また,つぼの正確な位置を知らない一般人でも容易に施行可能である。【００７８】
また、周波数さえ間違えなければ「つぼ」に印加させる必要が無いため、「つぼ」の位置を誤って「つぼ」でない部分を刺激することもなくなるという効果を有する。【００７９】
次に本発明による臨床例について説明する。【００８０】
臨床例Ｉ：難治性腰筋痛・適用経絡：腎経、三焦経、膀胱経
ＸＸＸの患者に腎経、三焦経、膀胱経に対応する三つの周波数の低周波を５分ずつ印加し、１週間に二度印加し、経過をみたところ効果は表２のように得られた。
【表２】
2007148403.tif 000005
【００８１】
臨床例ＩＩ：肩関節周囲炎・適用経絡：大腸経、肺経、腎経
ＹＹＹの患者に大腸経、肺経、腎経に対応する三つの周波数の低周波を５分ずつ印加し、１週間に二度印加し、経過をみたところ効果は表３のように得られた。
【表３】
2007148403.tif 000006
【００８２】
以上の臨床例から、本発明装置が特定の経絡のみを、選択的に刺激することができ、経絡に依存し、過半数が有効であり、本発明装置の有効性が確認された。この経絡を衛気営血が流れ、全身の栄養や外邪からの防御、機能的アンバランス時の調整等の役割を果たすことによって、加齢による老化を防止するアンチエイジング効果が生じる。【００８３】
さらに、周波数を１０倍、１００倍、１０分の１、１００分の１にした周波数を前記経絡に同様に印加したところ、特に１００倍の周波数と１００分の１の周波数において同様の結果が得られた。
【産業上の利用の可能性】
【００８４】
本発明によれば、特定の経絡のみに作用する周波数の信号を用いるため、つぼ等の位置を把握することなく、特定の経絡に対して信号を印加することができる。このため、従来は、東洋医学の専門医のみが行なうことのできた経絡への刺激が、一般家庭で自らの経絡に自らの操作で可能になる。
【００８５】
幾つかの好適な実施の形態及び実施例に関連付けして本発明を説明したが、これら実施の形態及び実施例は単に実例を挙げて発明を説明するためのものであって、限定することを意味するものではないことが理解できる。本明細書を読んだ後であれば、当業者にとって等価な構成要素や技術による数多くの変更および置換が容易であることが明白であるが、このような変更および置換は、添付の請求項の真の範囲及び精神に該当するものであることは明白である。
【図１】
2007148403.tif 000007
【図２】
2007148403.tif 000008
【図３】
2007148403.tif 000009
【図４】
2007148403.tif 000010
【図５】
2007148403.tif 000011
【図６】
2007148403.tif 000012
【図７】
2007148403.tif 000013
【図８】
2007148403.tif 000014
【図９】
2007148403.tif 000015
【国際調査報告】
2007148403.tif 000016
2007148403.tif 000017
2007148403.tif 000018